(57)【要約】【課題】中間基板の両側の子基板の延長面を交差させる基板実装において、特別な設計や放熱部材を要せず両側の放熱冷却効果を均衡のとれたものにする。【解決手段】中間基板３の両側に設けられた子基板７（左側）と子基板８（右側）の延長面が交差する（交差角θ１＋θ２）ようにするとともに子基板７は後方へ角度θ１だけ傾斜させ、子基板８は前方へ角度θ２だけ傾斜させることにより、両子基板は水平面に対して傾斜することになり、子基板に実装された電子部品の発生する熱により熱せられた空気が上昇し易くなり、両側の発熱量の相違があっても角度を変えて均衡のとれた放熱冷却効果が得られる。【選択図】　　　　図１
2004063525.tif 000002
【特許請求の範囲】
【請求項１】
筐体内に、中間親基板とその一方の面側と他方の面側にそれぞれ１個以上の子基板が設けられる実装構造であって、前記一方の面側の子基板の面と前記他方の面側の子基板の面とはその延長面同士が交差するものであり、且つ各子基板の面は水平面に対し傾斜していることを特徴とする中間／子基板実装構造。
【発明の詳細な説明】
【０００１】
【発明の属する技術分野】
本発明は、筐体の央部に親基板としての中間基板を設けその両側に子基板を設けるという基板実装構造に関するものである。
【０００２】
【従来の技術】
中間基板を用い、その両面側に多数の子基板を集合させてなる実装形態においては、中間基板を挟んだ子基板間の信号遅延のばらつきがなるべく小さくなるようにするために、中間基板を挟んだ子基板同士の延長面が互いに交差するように実装され、従来は、中間基板の例えば右側の子基板を水平に配置し、左側の子基板は垂直に配置するというようにしていた。
【０００３】
図５は、従来の子基板交差実装構造の一例を示す構造図である。
（ａ）は正面図であり、筐体１の中央部に中間基板３が縦方向に設けられており、その左側には左側子基板２が、その面を中間基板３と直角にして縦方向に設けられており、右側には右側子基板４が水平に設けられている。このように左側子基板２と右側子基板４はその面の延長面が互いに直交するような関係で設けられている。
【０００４】
（ｂ）は左側面図であり、左側子基板２が複数枚（図では７枚）設けられていることを示している。（ｃ）は右側側面図であり、右側子基板４が複数枚（図では７枚）水平に設けられていることを示している。（ｂ）と（ｃ）を見較べると左側子基板２の面と右側子基板４の面が直交していることが分かる。
【０００５】
【発明が解決しようとする課題】
このように、従来の実装構造は、中間基板を挟んで実装された子基板の面が交差することにより遅延時間のばらつきは小さくなるが、子基板の面の向きが左側子基板２は垂直、右側子基板４は水平であるため、基板に実装された電子部品から発せられる熱の放熱効果は、面の向きが垂直である左側子基板２の方が、熱せられた空気流５が上え上昇し易く放熱効果が大であるのに対し、右側子基板４の方は、水平であるため空気流６の流れが左側に較べて悪く放熱効果が悪い。
【０００６】
このように中間基板の左右で放熱効果の程度が異なるため、別途放熱を均一化するための放熱設計が必要となり、設計コストが高くなるとともに、放熱部材の余計な使用を招くという問題があった。
【０００７】
本発明の目的は、上記従来技術の問題点に鑑みて、特別の設計コストを要せず、また放熱部材を新たに用いることなく、中間基板の両サイドにおける放熱効果が均一になる実装構造を提供しようとするものである。
【０００８】
【課題を解決するための手段】
上記の目的を達成するために、本発明の中間／子基板実装構造は、筐体内に、中間親基板とその一方の面側と他方の面側にそれぞれ１個以上の子基板が設けられる実装構造であって、前記一方の面側の子基板の面と前記他方の面側の子基板の面とはその延長面同士が交差するものであり、且つ各子基板の面は水平面に対し傾斜していることを特徴とするものである。
【０００９】
【発明の実施の形態】
本発明は、中間基板の両側の子基板は、左右同士でその延長面が交差するようにしつつ、且つ水平面に対して傾斜するようにしたものである。
即ち、左右同士ではその延長面が交差するようにして延長時間のばらつきを抑えるという要請を満たしつつ、両側の子基板の面が水平面に対して傾斜するようにすることによって、電子部品の発熱によって熱せられた空気が上方へ抜け易くするものである。
傾斜しているから従来の図５の（ｂ）のように垂直の場合に較べて空気流の上昇度合いは低下するが一方（ｃ）の水平の場合に較べては向上するということになり、左右での冷却効果の均一化を図ることができるということになる。
【００１０】
そして、両側の子基板間で発熱量に差がある場合には、両側の子基板間の延長面交差は保ちつつ、発熱量の多い側の子基板の傾斜が少ない側の子基板の傾斜より、より垂直に近づくようにすることにより、両側の放熱効果のバランスをとることができる。
【００１１】
【実施例】
以下、本発明の実施例を図面を参照して説明する。
図１は、本発明構造の基本概念を示す斜視図である。中間基板３の左側に子基板７が５枚設けられ、右側に子基板８が同じく５枚設けられている。
左側の子基板７は鉛直方向に対して角度θ１だけ後方に傾斜しており、右側の子基板８は鉛直方向に対して前方へ角度θ２だけ傾斜している。
従って、子基板７の面と子基板８の面との交差角はθ１＋θ２ということになる。この角度（θ１＋θ２）が遅延時間のばらつきを少なくするという要請を満たし得る限り、角度θ１も角度θ２も小さい程放熱効果が上がる。それは子基板の傾斜がより垂直に近くなり熱せられた空気の上昇を促進するからである。
【００１２】
また、左右の子基板の発熱の程度が同程度であれば角度θ１と角度θ２とは同じでよいが、左右で発熱量の違いがある場合には、発熱量の大なる方の角度を小さくして冷却効果のバランスをとることになる。
【００１３】
図２は、図１の基板組立てを筐体１に実装した状況を示す斜視図である。
図３は、本発明の子基板傾斜実装構造の一例の３面図である。（ａ）が正面図、（ｂ）が左側面図、（ｃ）は右側面図である。左側の子基板７は鉛直線に対して角度θ３だけ前方へ傾斜しており、右側の子基板８は鉛直線に対し後方へ角度θ４だけ傾斜している。このような子基板７、８の傾斜により、子基板実装の電子部品の発熱により熱せられた空気は空気流９および空気流１０のように斜め上方へ上昇して放熱効果をもたらす。
【００１４】
図４は、中間基板の両側に子基板が傾斜を持たせて実装されることにより生ずる筐体コーナーの空間を有効に活用する実施例を示す図である。
左下コーナーには熱せられた空気を吹き上げる向きに冷却送風ユニット１２が設けられている。右上コーナーには、これも発熱が考えられる電源ユニット１３を設け、吹き上げられて来た空気流１５による冷却効果を得るようにしている。左上コーナーと右下コーナーには発熱量の少ない付属回路基板１１および１４が設けられスペースの有効活用が図られている。
【００１５】
【発明の効果】
以上説明したように、本発明の中間／子基板実装構造は、遅延時間のばらつきを少なくするため中間基板の両側の子基板の延長面を交差させるという従来の要請を満たしつつ、両側の子基板の面が水平面に対して傾斜するように実装したので、子基板に実装されている電子部品の発熱により熱せられた空気の上昇を促し、従来の水平と垂直という配置に較べ、特別の放熱設計や放熱部材の余計な使用を必要とせず、中間基板の左右で均衡のとれた冷却効果を得ることができるという利点を有する。
【図面の簡単な説明】
【図１】本発明構造の基本概念を示す斜視図である。
【図２】図１の基板組立てを筐体に実装した状況を示す斜視図である。
【図３】本発明の子基板傾斜実装構造の一例の３面図である。
【図４】中間基板の両側に子基板が傾斜を持たせて実装されることにより生ずる筐体コーナーの空間を有効に活用する実施例を示す側断面図である。
【図５】従来の子基板交差実装構造の一例を示す構造図である。
【符号の説明】
１　筐体
２　左側子基板
３　中間基板
４　右側子基板
５　空気流
６　空気流
７　子基板
８　子基板
９　空気流
１０　空気流
１１　付属回路基板
１２　冷却送風ユニット
１３　電源ユニット
１４　付属回路基板
１５　空気流
【図１】
2004063525.tif 000003
【図２】
2004063525.tif 000004
【図３】
2004063525.tif 000005
【図４】
2004063525.tif 000006
【図５】
2004063525.tif 000007